(57)【要約】  本開示は、ランダムアクセス方法、端末装置及びネットワーク装置を提供し、前記ランダムアクセス方法は、レイヤ２設定情報に基づいてレイヤ２処理を行って得られるデータ部分が搬送される２段階ランダムアクセス要求メッセージをネットワーク装置に送信するステップを含む。【選択図】  図１
2021531704.tif 000002
【特許請求の範囲】
【請求項１】
端末装置に適用されるランダムアクセス方法であって、
レイヤ２設定情報に基づいてレイヤ２処理を行って得られるデータ部分が搬送される２段階ランダムアクセス要求メッセージをネットワーク装置に送信するステップを含む、ランダムアクセス方法。
【請求項２】
前記レイヤ２設定情報は、
サービスデータ適応プロトコルＳＤＡＰ層設定情報と、パケットデータコンバージェンスプロトコルＰＤＣＰ層設定情報と、無線リンク層制御プロトコルＲＬＣ層設定情報と、媒体アクセス制御ＭＡＣ層設定情報とのうちの少なくとも１つを含む、請求項１に記載のランダムアクセス方法。
【請求項３】
２段階ランダムアクセス要求メッセージをネットワーク装置に送信する前記ステップの前に、
前記ネットワーク装置から送信された前記レイヤ２設定情報を受信するステップをさらに含む、請求項１に記載のランダムアクセス方法。
【請求項４】
前記レイヤ２設定情報の受信方式は、
システムブロードキャストメッセージにより受信するか、又は、無線リソース制御ＲＲＣリリースメッセージにより受信することである、請求項３に記載のランダムアクセス方法。
【請求項５】
前記レイヤ２設定情報の設定タイプは、
セル専用設定、又は、無線アクセスネットワークＲＡＮ専用設定である、請求項１に記載のランダムアクセス方法。
【請求項６】
前記レイヤ２設定情報の設定タイプがセル専用設定である場合、前記端末装置がセル再選択を完了した後に前記レイヤ２設定情報を更新する方式は、
プロトコルの取り決めに基づいて、前記レイヤ２設定情報を新たなセルに対応するレイヤ２設定情報に更新すること、
取得された新たなセルのシステムブロードキャストメッセージに基づいて、前記レイヤ２設定情報を新たなセルに対応するレイヤ２設定情報に更新すること、のいずれかである、請求項５に記載のランダムアクセス方法。
【請求項７】
前記レイヤ２設定情報には、デフォルトデータリソースベアラＤＲＢ情報を含むＳＤＡＰ層設定情報が含まれる場合、２段階ランダムアクセス要求メッセージをネットワーク装置に送信する前記ステップの前に、
ＳＤＡＰ層エンティティにより上位層によって渡されたデータを前記デフォルトデータリソースベアラＤＲＢ情報に対応するデフォルトデータリソースベアラＤＲＢにマッピングし、かつ前記デフォルトデータリソースベアラＤＲＢに関連付けられたＰＤＣＰ層エンティティに前記データを渡すことにより、前記データ部分を取得するステップをさらに含み、
及び／又は、
前記レイヤ２設定情報には、ＰＤＣＰシーケンス番号ＳＮの長さのデフォルト値が、全てのＰＤＣＰ  ＳＮの長さのうちの最も短いものである短ＰＤＣＰ  ＳＮの長さであることを指示する指示情報を含むＰＤＣＰ層設定情報が含まれる場合、２段階ランダムアクセス要求メッセージをネットワーク装置に送信する前記ステップの前に、
ＰＤＣＰ層エンティティにより前記短ＰＤＣＰ  ＳＮの長さに応じて、ＳＤＡＰ層エンティティによって渡されたデータを番号付けし、かつ番号付けされたデータをＲＬＣ層エンティティに渡すことにより、前記データ部分を取得するステップをさらに含み、
及び／又は、
前記レイヤ２設定情報には、ＲＬＣ伝送のデフォルトモードがＴＭモードであることを指示する指示情報を含むＲＬＣ層設定情報が含まれる場合、２段階ランダムアクセス要求メッセージをネットワーク装置に送信する前記ステップの前に、
ＲＬＣ層エンティティにより前記ＴＭモードを採用して、ＰＤＣＰ層エンティティによって渡されたデータを、論理チャネルを介してＭＡＣ層エンティティに直接的に渡すことにより、前記データ部分を取得するステップをさらに含み、
及び／又は、
前記レイヤ２設定情報には、論理チャネルのデフォルト値及び論理チャネルに対応する優先度値を含むＭＡＣ層設定情報が含まれる場合、２段階ランダムアクセス要求メッセージをネットワーク装置に送信する前記ステップの前に、
ＭＡＣ層エンティティにより複数のデフォルトの論理チャネルからデータを受信すると、前記複数のデフォルトの論理チャネルに対応する優先度値に基づいて、データ伝送の論理チャネルを多重化するステップをさらに含む、請求項１に記載のランダムアクセス方法。
【請求項８】
２段階ランダムアクセス要求メッセージをネットワーク装置に送信する前記ステップの後に、
前記ネットワーク装置から送信された２段階ランダムアクセス応答メッセージを受信するステップと、
前記２段階ランダムアクセス応答メッセージに、前記データ部分の受信に成功しないことを指示する指示情報を含む場合、デフォルトの最大ハイブリット自動再送要求ＨＡＲＱの再送回数に基づいて前記データ部分を再送するステップとを含む、請求項１に記載のランダムアクセス方法。
【請求項９】
ネットワーク装置に適用されるランダムアクセス方法であって、
レイヤ２設定情報に基づいてレイヤ２処理を行って得られるデータ部分が搬送される２段階ランダムアクセス要求メッセージを端末装置から受信するステップを含む、ランダムアクセス方法。
【請求項１０】
前記レイヤ２設定情報は、
ＳＤＡＰ層設定情報と、ＰＤＣＰ層設定情報と、ＲＬＣ層設定情報と、ＭＡＣ層設定情報とのうちの少なくとも１つを含む、請求項９に記載のランダムアクセス方法。
【請求項１１】
２段階ランダムアクセス要求メッセージを端末装置から受信する前記ステップの前に、
前記端末装置に前記レイヤ２設定情報を送信するステップをさらに含む、請求項１０に記載のランダムアクセス方法。
【請求項１２】
前記レイヤ２設定情報の送信方式は、
システムブロードキャストメッセージにより送信するか、又は、ＲＲＣリリースメッセージにより送信することである、請求項１１に記載のランダムアクセス方法。
【請求項１３】
前記レイヤ２設定情報の設定タイプは、
セル専用設定、又は、ＲＡＮ専用設定である、請求項９に記載のランダムアクセス方法。
【請求項１４】
２段階ランダムアクセス要求メッセージを端末装置から受信する前記ステップの後に、
ＭＡＣ層エンティティにより前記データ部分を復号するステップと、
前記ＭＡＣ層エンティティが前記データ部分の復号に成功した場合、前記データ部分の受信に成功したことを２段階ランダムアクセス応答メッセージによりフィードバックするステップと、
前記ＭＡＣ層エンティティが前記データ部分の復号に成功しない場合、前記データ部分の受信に成功しないことを２段階ランダムアクセス応答メッセージによりフィードバックするステップとをさらに含む、請求項９に記載のランダムアクセス方法。
【請求項１５】
レイヤ２設定情報に基づいてレイヤ２処理を行って得られるデータ部分が搬送される２段階ランダムアクセス要求メッセージをネットワーク装置に送信する第１の送信モジュールを含む、端末装置。
【請求項１６】
レイヤ２設定情報に基づいてレイヤ２処理を行って得られるデータ部分が搬送される２段階ランダムアクセス要求メッセージを端末装置から受信する第１の受信モジュールを含む、ネットワーク装置。
【請求項１７】
メモリと、プロセッサと、前記メモリに記憶されて前記プロセッサ上で実行可能なコンピュータプログラムとを含み、該コンピュータプログラムが前記プロセッサによって実行されると、請求項１〜１４のいずれか１項に記載のランダムアクセス方法のステップを実現する、通信装置。
【請求項１８】
プロセッサにより実行されると、請求項１〜１４のいずれか１項に記載のランダムアクセス方法のステップを実現するコンピュータプログラムが記憶されているコンピュータ読み取り可能な記憶媒体。
【発明の詳細な説明】
【技術分野】
【０００１】
（関連出願の相互参照）
本願は、２０１８年７月２６日に提出された中国特許出願第２０１８１０８３７８９６．７号の優先権を主張するものであり、その全ての内容は参照により本願に組み込まれるものとする。
本開示は、通信の技術分野に関し、特にランダムアクセス方法、端末装置及びネットワーク装置に関する。
【背景技術】
【０００２】
現在、第５世代移動通信技術（５ｔｈ−Ｇｅｎｅｒａｔｉｏｎ、５Ｇ）の新たな無線技術（Ｎｅｗ  Ｒａｄｉｏ、ＮＲ）システムは、簡略化された２段階競合ベースのランダムアクセスプロセスを導入して、競合ベースのランダムアクセスの時間遅延を低減することが検討されている。該簡略化された２段階競合ベースのランダムアクセスプロセスは、以下のステップ１〜３を含んでよい。
【０００３】
ステップ１では、ネットワーク側は、ユーザ装置（Ｕｓｅｒ  Ｅｑｕｉｐｍｅｎｔ、ＵＥ）などの端末装置に、２段階ランダムアクセス要求メッセージＭｓｇ１のランダムアクセスリソースなどの２段階ランダムアクセスに必要な設定情報を設定する。
ステップ２では、ユーザ装置ＵＥは、ランダムアクセスリソースを選択し、かつ該ランダムアクセスリソースを用いて、選択されたランダムアクセス信号（ｐｒｅａｍｂｌｅ）を基地局などのネットワーク装置に送信する。Ｍｓｇ１にユーザ装置ＵＥ識別子を搬送させることにより、基地局が該ユーザ装置ＵＥ識別子によりどのユーザ装置ＵＥがランダムアクセス要求を送信するかを決定できる。また、Ｍｓｇ１にユーザプレーンデータを搬送させてよく、アクティブ（ｉｎａｃｔｉｖｅ）状態のユーザ装置ＵＥによる小容量のデータ転送に適用されるため、ユーザ装置ＵＥの状態遷移時のシグナリングオーバーヘッドを低減する。
ステップ３では、基地局は、ユーザ装置ＵＥに２段階ランダムアクセス応答メッセージを送信する。該２段階ランダムアクセス応答メッセージには、ユーザ装置ＵＥが競合ベースのアクセスに成功したか否かを示すユーザ装置ＵＥ識別子が搬送されてよい。競合ベースのアクセスが成功すると、該２段階ランダムアクセス応答メッセージには、タイミングアドバンス、アップリンク許可などの情報がさらに搬送されてよい。
【０００４】
非接続状態のユーザ装置ＵＥに対して、簡略化された２段階競合ベースのランダムアクセスプロセスに基づいて小容量のデータ転送を行うことができる。２段階競合ベースのランダムアクセスプロセスは、４段階競合ベースのランダムアクセスプロセスと比べて、アクセスの時間遅延を低減することができる。しかしながら、現在、２段階ランダムアクセスプロセスにおいて要求メッセージに搬送されるデータに必要なプロトコルスタック設定情報は、まだ明確ではなく、該データは、例えば、無線リソース制御（Ｒａｄｉｏ  Ｒｅｓｏｕｒｃｅ  Ｃｏｎｔｒｏｌ、ＲＲＣ）接続確立要求などの制御プレーンデータ、及びユーザプレーンデータである。
【発明の概要】
【発明が解決しようとする課題】
【０００５】
本開示の実施例は、２段階ランダムアクセスプロセスにおいて要求メッセージに搬送されるデータに必要なプロトコルスタック設定情報がまだ明確ではないという問題を解決するために、ランダムアクセス方法、端末装置及びネットワーク装置を提供する。
【課題を解決するための手段】
【０００６】
上記問題を解決するために、第１の態様では、本開示の実施例に係る、端末装置に適用されるランダムアクセス方法は、
レイヤ２設定情報に基づいてレイヤ２処理を行って得られるデータ部分が搬送される２段階ランダムアクセス要求メッセージをネットワーク装置に送信するステップを含む。
【０００７】
第２の態様では、本開示の実施例に係る、ネットワーク装置に適用されるランダムアクセス方法は、
レイヤ２設定情報に基づいてレイヤ２処理を行って得られるデータ部分が搬送される２段階ランダムアクセス要求メッセージを端末装置から受信するステップを含む。
【０００８】
第３の態様では、本開示の実施例に係る端末装置は、
レイヤ２設定情報に基づいてレイヤ２処理を行って得られるデータ部分が搬送される２段階ランダムアクセス要求メッセージをネットワーク装置に送信する第１の送信モジュールを含む。
【０００９】
第４の態様では、本開示の実施例に係るネットワーク装置は、
レイヤ２設定情報に基づいてレイヤ２処理を行って得られるデータ部分が搬送される２段階ランダムアクセス要求メッセージを端末装置から受信する第１の受信モジュールを含む。
【００１０】
第５の態様では、本開示の実施例に係る通信装置は、プロセッサと、メモリと、前記メモリに記憶されて前記プロセッサ上で実行可能なコンピュータプログラムとを含み、前記コンピュータプログラムが前記プロセッサによって実行されると、端末装置に適用されるランダムアクセス方法の上記ステップ、又はネットワーク装置に適用されるランダムアクセス方法の上記ステップを実現することができる。該端末装置は、好ましくは、端末装置又はネットワーク装置である。
【００１１】
第６の態様では、本開示の実施例に係るコンピュータ読み取り可能な記憶媒体には、前記プロセッサによって実行されると、端末装置に適用されるランダムアクセス方法の上記ステップ、又はネットワーク装置に適用されるランダムアクセス方法の上記ステップを実現することができるコンピュータプログラムが記憶されている。
【発明の効果】
【００１２】
本開示の実施例では、２段階ランダムアクセス要求メッセージに搬送されるデータ部分をレイヤ２設定情報に基づいて取得して、２段階ランダムアクセス手順において要求メッセージに搬送されるデータに必要なプロトコルスタック設定情報を明確にすることができるため、２段階ランダムアクセス要求メッセージに搬送されるデータ部分がネットワーク側で正しく受信されることを保証し、データ伝送の実現可能性を向上させることができる。
【００１３】
本開示の実施例の技術手段をより明確に説明するために、以下、本開示の実施例の説明に必要な図面を簡単に説明し、明らかに、以下に説明される図面は、本開示のいくつかの実施例にすぎず、当業者であれば、創造的な労働をしない前提で、これらの図面に基づいて他の図面を得ることができる。
【図面の簡単な説明】
【００１４】
【図１】本開示の実施例に係るランダムアクセス方法のフローチャートである。
【図２】本開示の実施例に係る別のランダムアクセス方法のフローチャートである。
【図３】本開示の実施例に係る端末装置の概略構成図その１である。
【図４】本開示の実施例に係るネットワーク装置の概略構成図その１である。
【図５】本開示の実施例に係る端末装置の概略構成図その２である。
【図６】本開示の実施例に係るネットワーク装置の概略構成図その２である。
【発明を実施するための形態】
【００１５】
本開示の実施例の技術手段をより明確に説明するために、以下、本開示の実施例の説明に必要な図面を簡単に説明し、明らかに、以下に説明される図面は、本開示のいくつかの実施例にすぎず、当業者であれば、創造的な労働をしない前提で、これらの図面に基づいて他の図面を得ることができる。
【００１６】
図１に示すように、本開示の実施例に係る、端末装置に適用されるランダムアクセス方法は、以下のステップ１０１を含む。
【００１７】
ステップ１０１では、レイヤ２（ｌａｙｅｒ−ｔｗｏ）設定情報に基づいてレイヤ２処理を行って得られるデータ部分が搬送される２段階ランダムアクセス要求メッセージをネットワーク装置に送信する。
【００１８】
該２段階ランダムアクセス要求メッセージは、好ましくは、Ｍｓｇ１である。
【００１９】
該レイヤ２設定情報は、プロトコルによって取り決められてもよく、ネットワーク側によって設定されてもよい。ネットワーク側よって設定される場合、ステップ１０１の前に、上記方法は、
端末装置がネットワーク装置から送信されたレイヤ２設定情報を受信するステップをさらに含んでよい。
【００２０】
好ましくは、該レイヤ２設定情報の受信方式は、システムブロードキャストメッセージにより受信するか、又は、ＲＲＣリリースメッセージにより受信することであってよい。
【００２１】
本開示の実施例に係るランダムアクセス方法は、２段階ランダムアクセス要求メッセージに搬送されるデータ部分をレイヤ２設定情報に基づいて取得して、２段階ランダムアクセス手順において要求メッセージに搬送されるデータに必要なプロトコルスタック設定情報を明確にすることができるため、２段階ランダムアクセス要求メッセージに搬送されるデータ部分がネットワーク側で正しく受信されることを保証し、データ伝送の実現可能性を向上させることができる。
【００２２】
本開示の実施例では、好ましくは、該レイヤ２設定情報の設定タイプは、セル専用設定、又は、無線アクセスネットワーク（Ｒａｄｉｏ  Ａｃｃｅｓｓ  Ｎｅｔｗｏｒｋ、ＲＡＮ）専用設定であってよい。
【００２３】
該レイヤ２設定情報の設定タイプがセル専用設定である場合、端末装置がセル再選択を完了した後に上記レイヤ２設定情報を更新する方式は、
プロトコルの取り決めに基づいて、２段階ランダムアクセスに必要なレイヤ２設定情報を新たなセルに対応するレイヤ２設定情報に更新すること、
取得された新たなセルのシステムブロードキャストメッセージに基づいて、２段階ランダムアクセスに必要なレイヤ２設定情報を新たなセルに対応するレイヤ２設定情報に更新すること、のいずれかである。
【００２４】
本開示の実施例では、好ましくは、該レイヤ２設定情報は、
サービスデータ適応プロトコル（Ｓｅｒｖｉｃｅ  ｄａｔａ  ａｄａｐｔｉｏｎ  ｐｒｏｔｏｃｏｌ、ＳＤＡＰ）層設定情報と、パケットデータコンバージェンスプロトコル（Ｐａｃｋｅｔ  Ｄａｔａ  Ｃｏｎｖｅｒｇｅｎｃｅ  Ｐｒｏｔｏｃｏｌ、ＰＤＣＰ）層設定情報と、無線リンク層制御プロトコル（Ｒａｄｉｏ  Ｌｉｎｋ  Ｃｏｎｔｒｏｌ、ＲＬＣ）層設定情報と、媒体アクセス制御（Ｍｅｄｉａ  Ａｃｃｅｓｓ  Ｃｏｎｔｒｏｌ、ＭＡＣ）層設定情報とのうちの少なくとも１つを含む。
【００２５】
なお、実際の応用において、該ＳＤＡＰ層設定情報は、デフォルトデータリソースベアラ（Ｄａｔａ  Ｒｅｓｏｕｒｃｅ  Ｂｅａｒｅｒ、ＤＲＢ）情報を含んでよい。ネットワーク側は、端末装置に１つ以上のデフォルトデータリソースベアラＤＲＢを設定することができ、例えば、端末装置に３つのデフォルトデータリソースベアラＤＲＢを設定する場合、該３つのデフォルトデータリソースベアラＤＲＢは、それぞれ高、中、低サービスに必要なデータストリームを載せることができる。
【００２６】
該ＰＤＣＰ層設定情報は、ＰＤＣＰシーケンス番号（Ｓｅｑｕｅｎｃｅ  ｎｕｍｂｅｒ、ＳＮ）の長さ（ｓｉｚｅ）のデフォルト値が、全てのＰＤＣＰ  ＳＮの長さのうちの最も短いものである短ＰＤＣＰ  ＳＮの長さであることを指示する指示情報を含んでよい。該短いＰＤＣＰ  ＳＮは、現在のプロトコルがサポートする１２ビットであってもよく、新たに導入されるＳＮの長さ、例えば、８ビットであってもよい。
【００２７】
該ＲＬＣ層設定情報は、ＲＬＣ伝送のデフォルトモードがＴＭモードであることを指示する指示情報を含んでよい。
【００２８】
該ＭＡＣ層設定情報は、論理チャネルのデフォルト値、論理チャネルに対応する優先度値、最大ハイブリット自動再送要求（Ｈｙｂｒｉｄ  Ａｕｔｏｍａｔｉｃ  Ｒｅｐｅａｔ  ｒｅＱｕｅｓｔ、ＨＡＲＱ）の再送回数のデフォルト値などを含んでよい。ネットワーク側は、端末装置に１つ以上のデフォルトの論理チャネルと、それに対応する優先度値を設定することができ、例えば、端末装置に３つのデフォルトの論理チャネルを設定する場合、該３つのデフォルトの論理チャネルは、それぞれ高、中、低サービスに必要なデータストリームを載せることができる。
【００２９】
さらに好ましくは、レイヤ２設定情報には、デフォルトデータリソースベアラＤＲＢ情報を含むＳＤＡＰ層設定情報が含まれる場合、ステップ１０１の前に、上記方法は、
ＳＤＡＰ層エンティティにより上位層によって渡されたデータを該デフォルトデータリソースベアラＤＲＢ情報に対応するデフォルトデータリソースベアラＤＲＢにマッピングし、かつ該デフォルトデータリソースベアラＤＲＢに関連付けられたＰＤＣＰ層エンティティに上記データを渡すことにより、２段階ランダムアクセス要求メッセージに搬送されたデータ部分を取得するステップをさらに含んでよい。
【００３０】
このＳＤＡＰ層エンティティは、一般的にサービス層によって渡されたユーザプレーンデータを処理する。
【００３１】
及び／又は、レイヤ２設定情報には、ＰＤＣＰ  ＳＮの長さのデフォルト値が短ＰＤＣＰ  ＳＮの長さであることを指示する指示情報を含むＰＤＣＰ層設定情報が含まれる場合、ステップ１０１の前に、上記方法は、
ＰＤＣＰ層エンティティにより該短ＰＤＣＰ  ＳＮの長さに応じて、ＳＤＡＰ層エンティティによって渡されたデータを番号付けし、番号付けされたデータをＲＬＣ層エンティティに渡すことにより、２段階ランダムアクセス要求メッセージに搬送されたデータ部分を取得するステップをさらに含んでよい。また、このプロセスにおけるデータ番号は、ＰＤＣＰサブヘッダに搬送されてよい。ＰＤＣＰ  ＳＮに基づいてセキュリティ処理に必要なパラメータ（例えば、ＣＯＵＮＴ）をメンテナンスすることができる。
【００３２】
及び／又は、レイヤ２設定情報には、ＲＬＣ伝送のデフォルトモードがＴＭモードであることを指示する指示情報を含むＲＬＣ層設定情報が含まれる場合、ステップ１０１の前に、上記方法は、
ＲＬＣ層エンティティにより該ＴＭモードを採用して、ＰＤＣＰ層エンティティによって渡されたデータを、論理チャネルを介してＭＡＣ層エンティティに直接的に渡すことにより、ＰＤＣＰ層エンティティによって渡されたデータを処理せず、２段階ランダムアクセス要求メッセージに搬送されたデータ部分を取得するステップをさらに含んでよい。
【００３３】
及び／又は、レイヤ２設定情報には、論理チャネルのデフォルト値及び論理チャネルに対応する優先度値を含むＭＡＣ層設定情報が含まれる場合、ステップ１０１の前に、上記方法は、
ＭＡＣ層エンティティにより複数のデフォルトの論理チャネルからデータを受信すると、該複数のデフォルトの論理チャネルに対応する優先度値に基づいて、データ伝送用の論理チャネルを多重化するステップをさらに含んでよい。例えば、まず、優先度値が最も大きい論理チャネルを多重化することができる。
【００３４】
本開示の実施例では、好ましくは、ステップ１０１の後に、上記方法は、
ネットワーク装置から送信された２段階ランダムアクセス応答メッセージを受信するステップと、
該２段階ランダムアクセス応答メッセージに、データ部分の受信に成功しないことを指示する指示情報を含む場合、デフォルトの最大ＨＡＲＱの再送回数に基づいて該データ部分を再送するステップとをさらに含んでよい。
【００３５】
ネットワーク装置が２段階ランダムアクセス要求メッセージに搬送されたデータ部分の復号に成功する場合、該データ部分の受信に成功したことを２段階ランダムアクセス応答メッセージによりフィードバックしてよく、ネットワーク装置が２段階ランダムアクセス要求メッセージに搬送されたデータ部分の復号に成功しない場合、該データ部分の受信に成功しないことを２段階ランダムアクセス応答メッセージによりフィードバックしてよい。このように、ネットワーク装置がデータ部分の復号に成功しない場合、該データ部分を再送して、ネットワーク装置が正しいデータの受信に成功したことを保証することができる。
【００３６】
図２に示すように、本開示の実施例に係る、ネットワーク装置に適用されるランダムアクセス方法は、以下のステップ２０１を含んでよい。
【００３７】
ステップ２０１では、レイヤ２設定情報に基づいてレイヤ２処理を行って得られるデータ部分が搬送される２段階ランダムアクセス要求メッセージを端末装置から受信する。
【００３８】
該２段階ランダムアクセス要求メッセージは、好ましくは、Ｍｓｇ１である。
【００３９】
理解されるように、該レイヤ２設定情報は、プロトコルによって取り決められてもよく、ネットワーク側によって設定されてもよい。ネットワーク側よって設定される場合、ステップ２０１の前に、上記方法は、
ネットワーク装置が端末装置にレイヤ２設定情報を送信するステップをさらに含んでよい。
【００４０】
好ましくは、レイヤ２設定情報の送信方式は、システムブロードキャストメッセージにより送信するか、又は、ＲＲＣリリースメッセージにより送信することであってよい。
【００４１】
本開示の実施例に係るランダムアクセス方法は、２段階ランダムアクセス要求メッセージに搬送されるデータ部分をレイヤ２設定情報に基づいて取得して、２段階ランダムアクセス手順において要求メッセージに搬送されるデータに必要なプロトコルスタック設定情報を明確にすることができるため、２段階ランダムアクセス要求メッセージに搬送されるデータ部分がネットワーク側で正しく受信されることを保証し、データ伝送の実現可能性を向上させることができる。
【００４２】
本開示の実施例では、好ましくは、該レイヤ２設定情報の設定タイプは、セル専用設定、又はＲＡＮ専用設定であってよい。
【００４３】
好ましくは、該レイヤ２設定情報は、
ＳＤＡＰ層設定情報と、ＰＤＣＰ層設定情報と、ＲＬＣ層設定情報と、ＭＡＣ層設定情報とのうちの少なくとも１つを含んでよい。
【００４４】
好ましくは、ステップ２０１の後に、上記方法は、
ＭＡＣ層エンティティにより上記データ部分を復号するステップと、
上記ＭＡＣ層エンティティが上記データ部分の復号に成功した場合、上記データ部分の受信に成功したことを２段階ランダムアクセス応答メッセージによりフィードバックするステップと、
上記ＭＡＣ層エンティティが上記データ部分の復号に成功しない場合、上記データ部分の受信に成功しないことを２段階ランダムアクセス応答メッセージによりフィードバックするステップとをさらに含んでよい。
【００４５】
上記実施例は、本開示のランダムアクセス方法を説明し、以下、実施例及び図面を参照しながら本開示の端末装置及びネットワーク装置について説明する。
【００４６】
図３に示すように、本開示の実施例に係る端末装置３は、
レイヤ２設定情報に基づいてレイヤ２処理を行って得られるデータ部分が搬送される２段階ランダムアクセス要求メッセージをネットワーク装置に送信する第１の送信モジュール３１を含む。
【００４７】
本開示の実施例に係る端末装置は、２段階ランダムアクセス要求メッセージに搬送されるデータ部分をレイヤ２設定情報に基づいて取得して、２段階ランダムアクセス手順において要求メッセージに搬送されるデータに必要なプロトコルスタック設定情報を明確にすることができるため、２段階ランダムアクセス要求メッセージに搬送されるデータ部分がネットワーク側で正しく受信されることを保証し、データ伝送の実現可能性を向上させることができる。
【００４８】
本開示の実施例では、好ましくは、上記レイヤ２設定情報は、
ＳＤＡＰ層設定情報と、ＰＤＣＰ層設定情報と、ＲＬＣ層設定情報と、ＭＡＣ層設定情報とのうちの少なくとも１つを含む。
【００４９】
好ましくは、上記端末装置は、
上記ネットワーク装置から送信された上記レイヤ２設定情報を受信する第２の受信モジュールをさらに含む。
【００５０】
好ましくは、上記レイヤ２設定情報の受信方式は、
システムブロードキャストメッセージにより受信するか、又は、ＲＲＣリリースメッセージにより受信することであってよい。
【００５１】
好ましくは、上記レイヤ２設定情報の設定タイプは、
セル専用設定、又は、ＲＡＮ専用設定である。
【００５２】
好ましくは、上記レイヤ２設定情報の設定タイプがセル専用設定である場合、上記端末装置がセル再選択を完了した後に上記レイヤ２設定情報を更新する方式は、
プロトコルの取り決めに基づいて、上記レイヤ２設定情報を新たなセルに対応するレイヤ２設定情報に更新すること、
取得された新たなセルのシステムブロードキャストメッセージに基づいて、上記レイヤ２設定情報を新たなセルに対応するレイヤ２設定情報に更新すること、のいずれかである。
【００５３】
好ましくは、上記端末装置３は、
上記レイヤ２設定情報には、デフォルトデータリソースベアラＤＲＢ情報を含む上記ＳＤＡＰ層設定情報が含まれる場合、ＳＤＡＰ層エンティティにより上位層によって渡されたデータを上記デフォルトデータリソースベアラＤＲＢ情報に対応するデフォルトデータリソースベアラＤＲＢにマッピングし、かつ上記デフォルトデータリソースベアラＤＲＢに関連付けられたＰＤＣＰ層エンティティに上記データを渡すことにより、上記データ部分を取得し、
及び／又は、
上記レイヤ２設定情報には、ＰＤＣＰ  ＳＮの長さのデフォルト値が、全てのＰＤＣＰ  ＳＮの長さのうちの最も短いものである短ＰＤＣＰ  ＳＮの長さであることを指示する指示情報を含む上記ＰＤＣＰ層設定情報が含まれる場合、ＰＤＣＰ層エンティティにより上記短ＰＤＣＰ  ＳＮの長さに応じて、ＳＤＡＰ層エンティティによって渡されたデータを番号付けし、かつ番号付けされたデータをＲＬＣ層エンティティに渡すことにより、上記データ部分を取得し、
及び／又は、
上記レイヤ２設定情報には、ＲＬＣ伝送のデフォルトモードがＴＭモードであることを指示する指示情報を含む上記ＲＬＣ層設定情報が含まれる場合、ＲＬＣ層エンティティにより上記ＴＭモードを採用して、ＰＤＣＰ層エンティティによって渡されたデータを、論理チャネルを介してＭＡＣ層エンティティに直接的に渡すことにより、上記データ部分を取得し、
及び／又は、
上記レイヤ２設定情報には、論理チャネルのデフォルト値及び論理チャネルに対応する優先度値を含む上記ＭＡＣ層設定情報が含まれ、ＭＡＣ層エンティティにより複数のデフォルトの論理チャネルからデータを受信すると、上記複数のデフォルトの論理チャネルに対応する優先度値に基づいて、データ伝送用の論理チャネルを多重化する処理モジュールを含んでよい。
【００５４】
好ましくは、上記端末装置３は、
上記ネットワーク装置から送信された２段階ランダムアクセス応答メッセージを受信する第３の受信モジュールと、
上記２段階ランダムアクセス応答メッセージが、上記データ部分の受信に成功しないことを指示する指示情報を含む場合、デフォルトの最大ＨＡＲＱの再送回数に基づいて上記データ部分を再送する再送モジュールとをさらに含んでよい。
【００５５】
図４に示すように、本開示の実施例に係るネットワーク装置４は、
レイヤ２設定情報に基づいてレイヤ２処理を行って得られるデータ部分が搬送される２段階ランダムアクセス要求メッセージを端末装置から受信する第１の受信モジュール４１を含む。
【００５６】
本開示の実施例に係るネットワーク装置は、２段階ランダムアクセス要求メッセージを端末装置から受信し、該２段階ランダムアクセス要求メッセージに搬送されるデータ部分をレイヤ２設定情報に基づいて取得することにより、２段階ランダムアクセス手順において要求メッセージに搬送されるデータに必要なプロトコルスタック設定情報を明確にすることができるため、２段階ランダムアクセス要求メッセージに搬送されるデータ部分がネットワーク側で正しく受信されることを保証し、データ伝送の実現可能性を向上させることができる。
【００５７】
本開示の実施例では、好ましくは、上記レイヤ２設定情報は、
ＳＤＡＰ層設定情報と、ＰＤＣＰ層設定情報と、ＲＬＣ層設定情報と、ＭＡＣ層設定情報とのうちの少なくとも１つを含む。
【００５８】
好ましくは、上記ネットワーク装置４は、
上記端末装置に上記レイヤ２設定情報を送信する第２の送信モジュールをさらに含んでよい。
【００５９】
好ましくは、上記レイヤ２設定情報の送信方式は、
システムブロードキャストメッセージにより送信するか、又は、ＲＲＣリリースメッセージにより送信することであってよい。
【００６０】
好ましくは、上記レイヤ２設定情報の設定タイプは、
セル専用設定、又は、ＲＡＮ専用設定である。
【００６１】
好ましくは、上記ネットワーク装置４は、
ＭＡＣ層エンティティにより上記データ部分を復号する復号モジュールと、
上記ＭＡＣ層エンティティが上記データ部分の復号に成功した場合、上記データ部分の受信に成功したことを２段階ランダムアクセス応答メッセージによりフィードバックし、或いは、上記ＭＡＣ層エンティティが上記データ部分の復号に成功しない場合、上記データ部分の受信に成功しないことを２段階ランダムアクセス応答メッセージによりフィードバックする第３の送信モジュールとをさらに含んでよい。
【００６２】
本開示の実施例に係る端末装置は、メモリと、プロセッサと、上記メモリ上に記憶されて上記プロセッサ上で実行可能なコンピュータプログラムとを含み、該コンピュータプログラムが上記プロセッサによって実行されると、端末装置に適用される上記ランダムアクセス方法の実施例の各プロセスを実現し、かつ同様な技術的効果を達成することができる。重複を避けるために、ここでは繰り返して説明しない。
【００６３】
具体的には、図５は、本開示の各実施例を実現する端末装置のハードウェア概略構成図であり、端末装置５００は、無線周波数ユニット５０１、ネットワークモジュール５０２、オーディオ出力ユニット５０３、入力ユニット５０４、センサ５０５、表示ユニット５０６、ユーザ入力ユニット５０７、インタフェースユニット５０８、メモリ５０９、プロセッサ５１０及び電源５１１などの部品を含むが、これらに限定されない。当業者であれば理解できるように、図５に示す端末の構造は、端末を限定するものではなく、端末装置は、図示より多いか又は少ない部品を含んでもよく、ある部品を組み合わせたり、異なる部品を配置したりしてもよい。本開示の実施例では、端末装置は、携帯電話、タブレットコンピュータ、ノートパソコン、パームトップコンピュータ、車載端末、ウェアラブルデバイス及び歩数計などを含むが、これらに限定されない。
【００６４】
無線周波数ユニット５０１は、レイヤ２設定情報に基づいてレイヤ２処理を行って得られるデータ部分が搬送される２段階ランダムアクセス要求メッセージをネットワーク装置に送信する。
【００６５】
本開示の実施例に係る端末装置５００は、２段階ランダムアクセス要求メッセージに搬送されるデータ部分をレイヤ２設定情報に基づいて取得することにより、２段階ランダムアクセス手順において要求メッセージに搬送されるデータに必要なプロトコルスタック設定情報を明確にすることができるため、２段階ランダムアクセス要求メッセージに搬送されるデータ部分がネットワーク側で正しく受信されることを保証し、データ伝送の実現可能性を向上させることができる。
【００６６】
本開示の実施例では、無線周波数ユニット５０１は、情報の送受信中又は通話中の信号の送受信に用いられてよく、具体的には、基地局からのダウンリンクデータを受信した後、プロセッサ５１０に処理させ、また、アップリンクデータを基地局に送信することを理解されたい。一般的に、無線周波数ユニット５０１は、アンテナ、少なくとも１つの増幅器、トランシーバ、カプラ、低雑音増幅器、デュプレクサなどを含むが、これらに限定されない。また、無線周波数ユニット５０１は、さらに無線通信システムによりネットワーク及び他の装置と通信することができる。
【００６７】
端末装置は、ネットワークモジュール５０２によりユーザに無線のブロードバンドインターネットアクセスを提供して、例えば、ユーザの電子メールの送受信、ウェブの閲覧及びストリーミングメディアのアクセスなどを助ける。
【００６８】
オーディオ出力ユニット５０３は、無線周波数ユニット５０１又はネットワークモジュール５０２によって受信されるか又はメモリ５０９に記憶されているオーディオデータをオーディオ信号に変換して、音声として出力することができる。また、オーディオ出力ユニット５０３は、さらに、端末装置５００によって実行される特定の機能に関連するオーディオ出力（例えば、呼出音、メッセージ着信音など）を提供することができる。オーディオ出力ユニット５０３は、スピーカー、ブザー及びレシーバーなどを含む。
【００６９】
入力ユニット５０４は、オーディオ又はビデオ信号を入力する。入力ユニット５０４は、グラフィック処理ユニット（Ｇｒａｐｈｉｃｓ  Ｐｒｏｃｅｓｓｉｎｇ  Ｕｎｉｔ、ＧＰＵ）５０４１及びマイクロフォン５０４２を含んでよく、グラフィック処理ユニット５０４１は、動画撮影モード又は撮影モードで撮影装置（例えば、カメラ）によって取得された静止画像又はビデオの画像データを処理する。処理後の画像フレームは、表示ユニット５０６に表示されてよい。グラフィック処理ユニット５０４１によって処理された画像フレームは、メモリ５０９（又は他の記憶媒体）に記憶されてもよく、無線周波数ユニット５０１又はネットワークモジュール５０２によって送信されてもよい。マイクロフォン５０４２は、音声を受信し、かつこのような音声をオーディオデータに処理することができる。処理後のオーディオデータは、電話通話モードで無線周波数ユニット５０１によって移動通信基地局に送信可能なフォーマットに変換されて出力することができる。
【００７０】
端末装置５００は、光センサ、動きセンサ及び他のセンサなどの少なくとも１種のセンサ５０５をさらに含む。具体的には、光センサは、環境光線の明るさに応じて表示パネル５０６１の輝度を調整することができる環境光センサと、端末装置５００が耳元に移動するときに、表示パネル５０６１及び／又はバックライトをオフにすることができる近接センサとを含む。動きセンサの１種として、加速センサは、各方向（一般に３軸）の加速度の大きさを検出でき、静止時に重力の大きさ及び方向を検出でき、端末姿勢の識別（例えば、縦向きと横向きの切替、ゲーム関連、磁力計の姿勢較正）、振動識別に関連する機能（例えば、歩数計、タッピング）などに用いられてよく、センサ５０５は、指紋センサ、圧力センサ、虹彩センサ、分子センサ、ジャイロスコープ、気圧計、湿度計、温度計、赤外線センサなどをさらに含んでよく、ここでは説明を省略する。
【００７１】
表示ユニット５０６は、ユーザにより入力された情報又はユーザに提供する情報を表示する。表示ユニット５０６は、表示パネル５０６１を含んでもよく、液晶ディスプレイ（Ｌｉｑｕｉｄ  Ｃｒｙｓｔａｌ  Ｄｉｓｐｌａｙ、ＬＣＤ）、有機発光ダイオード（Ｏｒｇａｎｉｃ  Ｌｉｇｈｔ−Ｅｍｉｔｔｉｎｇ  Ｄｉｏｄｅ、ＯＬＥＤ）などの形式で表示パネル５０６１を構成することができる。
【００７２】
ユーザ入力ユニット５０７は、入力された数字又は文字情報を受信すると共に、端末のユーザ設定及び機能制御に関連するキー信号入力を生成することができる。具体的には、ユーザ入力ユニット５０７は、タッチパネル５０７１及び他の入力装置５０７２を含む。タッチパネル５０７１は、タッチスクリーンとも呼ばれ、その上又はその近くでのユーザのタッチ操作（例えば、指、スタイラスペンなどの任意の適切な物体又は付属品を用いるタッチパネル５０７１上又はタッチパネル５０７１の近くでのユーザの操作）を収集することができる。タッチパネル５０７１は、タッチ検出装置及びタッチコントローラの２つの部品を含んでよい。タッチ検出装置は、ユーザのタッチ方向を検出し、タッチ操作による信号を検出し、信号をタッチコントローラに伝送し、タッチコントローラは、タッチ検出装置からタッチ情報を受信し、タッチポイント座標に変換して、プロセッサ５１０に送信し、プロセッサ５１０から送信されたコマンドを受信し、実行する。また、抵抗式、容量式、赤外線式、表面弾性波式などの複数のタイプでタッチパネル５０７１を実現することができる。タッチパネル５０７１に加えて、ユーザ入力ユニット５０７は、また、他の入力装置５０７２を含んでよい。具体的には、他の入力装置５０７２は、物理的キーボード、機能キー（ボリューム調節キー、スイッチキーなど）、トラックボール、マウス、及び操作レバーを含み得るが、これらに限定されず、ここでは説明を省略する。
【００７３】
さらに、タッチパネル５０７１は、表示パネル５０６１をカバーすることができ、タッチパネル５０７１がタッチパネル又はその近くでのタッチ操作を検出した後、プロセッサ５１０に伝送してタッチイベントのタイプを決定し、その後に、プロセッサ５１０は、タッチイベントのタイプに応じて対応する視覚的出力を表示パネル５０６１に提供する。図５では、タッチパネル５０７１と表示パネル５０６１は、２つの独立した部品として端末の入出力機能を実現するが、いくつかの実施例では、タッチパネル５０７１と表示パネル５０６１を一体化して端末の入出力機能を実現することができ、ここでは具体的に限定しない。
【００７４】
インタフェースユニット５０８は、外部装置と端末装置５００を接続するインタフェースである。例えば、外部装置は、有線又は無線ヘッドフォンポート、外部電源（又は電池充電器）ポート、有線又は無線データポート、メモリカードポート、識別モジュールを備えた装置との接続用ポート、オーディオ入力／出力（Ｉ／Ｏ）ポート、ビデオＩ／Ｏポート、ヘッドフォンポートなどを含んでよい。インタフェースユニット５０８は、外部装置からの入力（例えば、データ情報、電力など）を受信すると共に、受信された入力を端末装置５００内の１つ以上の素子に伝送するか又は端末装置５００と外部装置の間のデータを伝送することができる。
【００７５】
メモリ５０９は、ソフトウェアプログラム及び様々なデータを記憶することができる。メモリ５０９は、主に、オペレーティングシステム、少なくとも１つの機能（例えば、音声再生機能、画像再生機能など）に必要なアプリケーションプログラムなどを記憶することができるプログラム記憶領域と、携帯電話の使用に応じて作成されたデータ（例えば、オーディオデータ、電話帳など）などを記憶することができるデータ記憶領域とを含んでよい。また、メモリ５０９は、高速ランダムアクセスメモリを含んでもよく、少なくとも１つの磁気ディスクメモリ素子、フラッシュメモリ素子などの不揮発性メモリ又は他の揮発性固体メモリ素子を含んでもよい。
【００７６】
プロセッサ５１０は、端末装置の制御センターであり、様々なインタフェースと回線により端末全体の各部分に接続され、メモリ５０９に記憶されたソフトウェアプログラム及び／又はモジュールを動作させるか又は実行し、メモリ５０９に記憶されたデータを呼び出すことにより、端末の様々な機能とデータ処理を実行して、端末全体を監視する。プロセッサ５１０は、１つ以上の処理ユニットを含んでよく、好ましくは、プロセッサ５１０は、主にオペレーティングシステム、ユーザインタフェース及びアプリケーションプログラムなどを処理するアプリケーションプロセッサと、主に無線通信を処理するモデムプロセッサとを集積することができる。理解されるように、上記モデムプロセッサは、プロセッサ５１０に集積されなくてよい。
【００７７】
端末装置５００は、各部品に給電する電源５１１（例えば、電池）をさらに含んでよく、好ましくは、電源５１１は、電源管理システムによりプロセッサ５１０と論理的に接続されて、電源管理システムにより充電、放電の管理及び消費電力の管理などの機能を実現することができる。
【００７８】
また、端末装置５００は、さらに、いくつかの未図示の機能モジュールを含み、ここでは説明を省略する。
【００７９】
本開示の実施例に係るネットワーク装置は、メモリと、プロセッサと、上記メモリ上に記憶されて上記プロセッサ上で実行可能なコンピュータプログラムとを含み、上記プロセッサによって実行されると、ネットワーク装置に適用される上記ランダムアクセス方法の実施例の各プロセスを実現し、かつ同様な技術的効果を達成することができる。重複を避けるために、ここでは繰り返して説明しない。
【００８０】
具体的には、図６は、本開示の各実施例を実現するネットワーク装置のハードウェア概略構成図であり、上記ネットワーク装置６０は、バス６１と、送受信機６２と、アンテナ６３と、バスインタフェース６４と、プロセッサ６５と、メモリ６６とを含むが、それらに限定されない。
【００８１】
本開示の実施例では、上記ネットワーク装置６０は、メモリ６６に記憶されプロセッサ６５上で実行でき、プロセッサ６５によって実行されると、
レイヤ２設定情報に基づいてレイヤ２処理を行って得られるデータ部分が搬送される２段階ランダムアクセス要求メッセージを端末装置から受信するステップを実現するコンピュータプログラムをさらに含む。
【００８２】
送受信機６２は、プロセッサ６５による制御下で、データを送受信する。
【００８３】
図６において、バスアーキテクチャ（バス６１によって表される）について、バス６１は、任意の数の相互接続されたバス及びブリッジを含んでよく、プロセッサ６５によって表される１つ以上のプロセッサ及びメモリ６６によって表されるメモリとの様々な回路を一体に接続する。バス６１は、さらに、周辺装置、スタビライザ及びパワー管理回路などの様々なその他の回路を一体に接続してよく、これらはいずれも本分野において既知のものであるため、本明細書においてさらに説明しない。バスインタフェース６４は、バス６１と送受信機６２との間にインタフェースを提供する。送受信機６２は、１つの部品であってよく、複数の受信機と送信機などの複数の部品であってもよく、伝送媒体上で様々な他の装置と通信するユニットを提供する。プロセッサ６５で処理されたデータは、アンテナ６３により無線媒体上で伝送され、さらに、アンテナ６３は、データを受信してプロセッサ６５に伝送する。
【００８４】
プロセッサ６５は、バス６１の管理と通常の処理を担当し、さらに、タイミング、周辺インタフェース、電圧調整、電源管理及びその他の制御機能を含む様々な機能を提供することができる。また、メモリ６６は、プロセッサ６５が操作を実行するときに使用するデータを記憶することができる。
【００８５】
好ましくは、プロセッサ６５は、ＣＰＵ、ＡＳＩＣ、ＦＰＧＡ又はＣＰＬＤであってよい。
【００８６】
本開示の実施例に係るコンピュータ読み取り可能な記憶媒体には、プロセッサによって実行されると、上記ランダムアクセス方法の実施例の各プロセスを実現し、かつ同様な技術的効果を達成することができるコンピュータプログラムが記憶されており、重複を避けるために、ここでは説明を省略する。該コンピュータ読み取り可能な記憶媒体は、読み取り専用メモリ（Ｒｅａｄ−Ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、ＲＡＭ）、磁気ディスク又は光ディスク等であってよい。
【００８７】
なお、本明細書において、用語「含む」、「備える」及びそれらのいかなる変形は、非排他的な包含をカバーすることを意図することにより、一連の要素を含むプロセス、方法、物品又は装置は、それらの要素を含むだけでなく、明確に例示されていない他の要素も含むか、又はこれらのプロセス、方法、物品又は装置に固有の要素も含む。より多くの限定がない場合に、語句「１つ・・・を含む」により限定された要素は、該要素を含むプロセス、方法、製品又は装置に別の同一の要素がさらに存在することを排除するものではない。
【００８８】
以上の実施形態の説明により、当業者が明確に理解できるように、上記実施例の方法は、ソフトウェアと必要な汎用ハードウェアプラットフォームを併用した方法で実現でき、当然のことながら、ハードウェアでも実現できるが、多くの場合に前者がより好ましい実施形態である。このような理解に基づいて、本開示の技術手段は、本質的又は従来技術に寄与する部分が、ソフトウェア製品の形態で具現化されてよく、該コンピュータソフトウェア製品は、記憶媒体（例えば、ＲＯＭ／ＲＡＭ、磁気ディスク、光ディスク）に記憶されており、１台の端末（携帯電話、コンピュータ、サーバ、エアコン又はネットワーク装置などであってよい）に本開示の各実施例に記載の方法を実行させるための複数の命令を含む。
【００８９】
以上、図面を参照しながら本開示の実施例を説明したが、本開示は、上記具体的な実施形態に限定されるものではなく、上記具体的な実施形態は、制限的なものではなく、例示的なものに過ぎず、当業者であれば、本開示の示唆で、本開示の趣旨及び特許請求の範囲の保護範囲から逸脱せずに多くの形式を行うことができ、これらは、いずれも本開示の保護範囲内に属する。
【図１】
2021531704.tif 000003
【図２】
2021531704.tif 000004
【図３】
2021531704.tif 000005
【図４】
2021531704.tif 000006
【図５】
2021531704.tif 000007
【図６】
2021531704.tif 000008
【手続補正書】
【提出日】令和3年3月19日(2021.3.19)
【手続補正１】
【補正対象書類名】明細書
【補正対象項目名】０００３
【補正方法】変更
【補正の内容】
【０００３】
ステップ１では、ネットワーク側は、ユーザ装置（Ｕｓｅｒ  Ｅｑｕｉｐｍｅｎｔ、ＵＥ）などの端末装置に、２段階ランダムアクセス要求メッセージＭｓｇ１のランダムアクセスリソースなどの２段階ランダムアクセスに必要な設定情報を設定する。
ステップ２では、ＵＥは、ランダムアクセスリソースを選択し、かつ該ランダムアクセスリソースを用いて、選択されたランダムアクセス信号（ｐｒｅａｍｂｌｅ）を基地局などのネットワーク装置に送信する。Ｍｓｇ１にＵＥ識別子を搬送させることにより、基地局が該ＵＥ識別子によりどのＵＥがランダムアクセス要求を送信するかを決定できる。また、Ｍｓｇ１にユーザプレーンデータを搬送させてよく、アクティブ（ａｃｔｉｖｅ）状態のＵＥによる小容量のデータ転送に適用されるため、ＵＥの状態遷移時のシグナリングオーバーヘッドを低減する。
ステップ３では、基地局は、ＵＥに２段階ランダムアクセス応答メッセージを送信する。該２段階ランダムアクセス応答メッセージには、ＵＥが競合ベースのアクセスに成功したか否かを示すＵＥ識別子が搬送されてよい。競合ベースのアクセスが成功すると、該２段階ランダムアクセス応答メッセージには、タイミングアドバンス、アップリンク許可などの情報がさらに搬送されてよい。
【手続補正２】
【補正対象書類名】特許請求の範囲
【補正対象項目名】全文
【補正方法】変更
【補正の内容】
【特許請求の範囲】
【請求項１】
端末装置に適用されるランダムアクセス方法であって、
レイヤ２設定情報に基づいてレイヤ２処理を行って得られるデータ部分が搬送される２段階ランダムアクセス要求メッセージをネットワーク装置に送信するステップを含むことを特徴とする、ランダムアクセス方法。
【請求項２】
前記レイヤ２設定情報は、
サービスデータ適応プロトコルＳＤＡＰ層設定情報と、パケットデータコンバージェンスプロトコルＰＤＣＰ層設定情報と、無線リンク層制御プロトコルＲＬＣ層設定情報と、媒体アクセス制御ＭＡＣ層設定情報とのうちの少なくとも１つを含む、請求項１に記載のランダムアクセス方法。
【請求項３】
２段階ランダムアクセス要求メッセージをネットワーク装置に送信する前記ステップの前に、
前記ネットワーク装置から送信された前記レイヤ２設定情報を受信するステップをさらに含む、請求項１に記載のランダムアクセス方法。
【請求項４】
前記レイヤ２設定情報の受信方式は、
システムブロードキャストメッセージにより受信するか、又は、無線リソース制御ＲＲＣリリースメッセージにより受信することである、請求項３に記載のランダムアクセス方法。
【請求項５】
前記レイヤ２設定情報の設定タイプは、
セル専用設定、又は、無線アクセスネットワークＲＡＮ専用設定である、請求項１に記載のランダムアクセス方法。
【請求項６】
前記レイヤ２設定情報の設定タイプがセル専用設定である場合、前記端末装置がセル再選択を完了した後に前記レイヤ２設定情報を更新する方式は、
プロトコルの取り決めに基づいて、前記レイヤ２設定情報を新たなセルに対応するレイヤ２設定情報に更新すること、
取得された新たなセルのシステムブロードキャストメッセージに基づいて、前記レイヤ２設定情報を新たなセルに対応するレイヤ２設定情報に更新すること、のいずれかである、請求項５に記載のランダムアクセス方法。
【請求項７】
前記レイヤ２設定情報には、デフォルトデータリソースベアラＤＲＢ情報を含むＳＤＡＰ層設定情報が含まれる場合、２段階ランダムアクセス要求メッセージをネットワーク装置に送信する前記ステップの前に、
ＳＤＡＰ層エンティティにより上位層によって渡されたデータを前記デフォルトデータリソースベアラＤＲＢ情報に対応するデフォルトデータリソースベアラＤＲＢにマッピングし、かつ前記デフォルトデータリソースベアラＤＲＢに関連付けられたＰＤＣＰ層エンティティに前記データを渡すことにより、前記データ部分を取得するステップをさらに含み、
及び／又は、
前記レイヤ２設定情報には、ＰＤＣＰシーケンス番号ＳＮの長さのデフォルト値が、全てのＰＤＣＰ  ＳＮの長さのうちの最も短いものである短ＰＤＣＰ  ＳＮの長さであることを指示する指示情報を含むＰＤＣＰ層設定情報が含まれる場合、２段階ランダムアクセス要求メッセージをネットワーク装置に送信する前記ステップの前に、
ＰＤＣＰ層エンティティにより前記短ＰＤＣＰ  ＳＮの長さに応じて、ＳＤＡＰ層エンティティによって渡されたデータを番号付けし、かつ番号付けされたデータをＲＬＣ層エンティティに渡すことにより、前記データ部分を取得するステップをさらに含み、
及び／又は、
前記レイヤ２設定情報には、ＲＬＣ伝送のデフォルトモードがＴＭモードであることを指示する指示情報を含むＲＬＣ層設定情報が含まれる場合、２段階ランダムアクセス要求メッセージをネットワーク装置に送信する前記ステップの前に、
ＲＬＣ層エンティティにより前記ＴＭモードを採用して、ＰＤＣＰ層エンティティによって渡されたデータを、論理チャネルを介してＭＡＣ層エンティティに直接的に渡すことにより、前記データ部分を取得するステップをさらに含み、
及び／又は、
前記レイヤ２設定情報には、論理チャネルのデフォルト値及び論理チャネルに対応する優先度値を含むＭＡＣ層設定情報が含まれる場合、２段階ランダムアクセス要求メッセージをネットワーク装置に送信する前記ステップの前に、
ＭＡＣ層エンティティにより複数のデフォルトの論理チャネルからデータを受信すると、前記複数のデフォルトの論理チャネルに対応する優先度値に基づいて、データ伝送の論理チャネルを多重化するステップをさらに含む、請求項１に記載のランダムアクセス方法。
【請求項８】
２段階ランダムアクセス要求メッセージをネットワーク装置に送信する前記ステップの後に、
前記ネットワーク装置から送信された２段階ランダムアクセス応答メッセージを受信するステップと、
前記２段階ランダムアクセス応答メッセージに、前記データ部分の受信に成功しないことを指示する指示情報を含む場合、デフォルトの最大ハイブリット自動再送要求ＨＡＲＱの再送回数に基づいて前記データ部分を再送するステップとを含む、請求項１に記載のランダムアクセス方法。
【請求項９】
ネットワーク装置に適用されるランダムアクセス方法であって、
レイヤ２設定情報に基づいてレイヤ２処理を行って得られるデータ部分が搬送される２段階ランダムアクセス要求メッセージを端末装置から受信するステップを含むことを特徴とする、ランダムアクセス方法。
【請求項１０】
前記レイヤ２設定情報は、
ＳＤＡＰ層設定情報と、ＰＤＣＰ層設定情報と、ＲＬＣ層設定情報と、ＭＡＣ層設定情報とのうちの少なくとも１つを含む、請求項９に記載のランダムアクセス方法。
【請求項１１】
２段階ランダムアクセス要求メッセージを端末装置から受信する前記ステップの前に、
前記端末装置に前記レイヤ２設定情報を送信するステップをさらに含む、請求項１０に記載のランダムアクセス方法。
【請求項１２】
前記レイヤ２設定情報の送信方式は、
システムブロードキャストメッセージにより送信するか、又は、ＲＲＣリリースメッセージにより送信することである、請求項１１に記載のランダムアクセス方法。
【請求項１３】
前記レイヤ２設定情報の設定タイプは、
セル専用設定、又は、ＲＡＮ専用設定である、請求項９に記載のランダムアクセス方法。
【請求項１４】
レイヤ２設定情報に基づいてレイヤ２処理を行って得られるデータ部分が搬送される２段階ランダムアクセス要求メッセージをネットワーク装置に送信する第１の送信モジュールを含むことを特徴とする、端末装置。
【請求項１５】
レイヤ２設定情報に基づいてレイヤ２処理を行って得られるデータ部分が搬送される２段階ランダムアクセス要求メッセージを端末装置から受信する第１の受信モジュールを含むことを特徴とする、ネットワーク装置。
【国際調査報告】
2021531704.tif 000009
2021531704.tif 000010
2021531704.tif 000011
2021531704.tif 000012
2021531704.tif 000013
2021531704.tif 000014